(57)【要約】 【課題】  バッテリーポストに装着する作業性を向上させるために、ネジ部材を鉛直方向に締付けることができるバッテリーターミナルを提供することを目的とする。【解決手段】  バッテリーターミナル１０は、バッテリーケーブルＢＣに接続したケーブル金具部材１１を、バッテリーポストＢＰに係合させた後、板材を２つに折り曲げて形成した被せ部材１２の、上部係合孔１２３と下部係合孔１２４とにバッテリーポストＢＰを挿入し、その締付孔１２６側が上方になるようにバッテリーポストＢＰに対して斜めに係止させ、その後、締付孔１２６を貫通したウェルドボルト１１１に上方よりナット１３を締付けて、被せ部材１２の端部１２５を押圧することにより、被せ部材１２が水平方向になるように姿勢を変化させ、互いに偏心した上部係合孔１２３と下部係合孔１２４の、それぞれの円周上の互いに対向する部位において、バッテリーポストＢＰを挟圧することにより装着される。【選択図】  図８
2005183284.tif 000002
【特許請求の範囲】
【請求項１】
ボルト部およびナット部のうちのいずれかが設けられるとともに、バッテリーポストに係合して、前記バッテリーポストとバッテリーケーブルとを連結するケーブル金具部材と、
前記ケーブル金具部材に対する上方に配置されるように、前記バッテリーポストに被せられ、前記ボルト部が挿通された上で、それに前記ナット部を螺合させることにより、前記ケーブル金具部材に締結される被せ部材とを備え、
前記被せ部材には前記バッテリーポストと係合する上部係合孔が形成されるとともに、前記被せ部材およびケーブル金具部材のうちのいずれかには、前記上部係合孔に対する下方において、前記バッテリーポストと係合する下部係合孔が形成され、
前記被せ部材は前記ケーブル金具部材に対する位置を変化させることが可能であり、前記ケーブル金具部材および被せ部材を前記バッテリーポストに係止させ、前記ケーブル金具部材に対する前記被せ部材の位置を変化させた後、互いに上下方向に締結して、前記バッテリーポストの軸心に対して、前記上部係合孔と下部係合孔の中心を互いに反対方向にずらすことにより、前記バッテリーポストに装着されることを特徴とするバッテリーターミナル。
【請求項２】
前記被せ部材は、板部材が２つに折り曲げられて、互いに上下方向に対向して形成された上板部および下板部を有するとともに、前記板部材の両端部が互いに重ねられて固着され、その端部には前記ボルト部が挿通される締付孔が形成されており、前記上板部および下板部には、それぞれ互いに中心のずれた前記上部係合孔および下部係合孔が、前記締付孔と並ぶように形成され、
前記ケーブル金具部材を前記バッテリーポストに係合させた後、前記被せ部材の下部係合孔の内周面のうち前記締付孔側に位置する部位を、前記締付孔と反対側に位置する部位に対して上方に配置されるように、前記バッテリーポストのテーパ状の外周面の途中に当接させて、前記被せ部材を前記バッテリーポストに対して斜めに係止させた後、
前記締付孔に挿通した前記ボルト部を前記ナット部と螺合させて、互いに締結させることにより前記締付孔が下降し、前記被せ部材が水平になる方向に姿勢を変化させ、前記下部係合孔の内周面のうち前記締付孔側に位置する部位と、前記上部係合孔の内周面のうち前記締付孔と反対側に位置する部位とで、前記バッテリーポストを挟圧することにより装着されることを特徴とする請求項１記載のバッテリーターミナル。
【請求項３】
前記ケーブル金具部材には前記下部係合孔が形成されるとともに、斜め上方に延びたガイド部が設けられ、
前記被せ部材には前記ボルト部が挿通される締付孔が、前記上部係合孔と並ぶように形成されるとともに、前記ガイド部と係合して、前記ガイド部の延びる方向に移動可能にするガイド係合部が形成されており、
前記ケーブル金具部材の前記下部係合孔を前記バッテリーポストに係止させた後、前記被せ部材の上部係合孔の内周面上の一部位を、前記バッテリーポストの外周面の途中に当接させて、前記被せ部材を前記バッテリーポストに対して係止させた後、
前記締付孔に挿通した前記ボルト部を前記ナット部と螺合させて互いに締結させることにより、前記被せ部材が前記ガイド部に沿って斜めに下降して、前記上部係合孔の内周面上の一部位が、前記バッテリーポストの外周面を押圧することにより、前記バッテリーポストから反力を受けて、前記被せ部材が前記ガイド部およびガイド係合部を介して、前記ケーブル金具部材と一体となって前記バッテリーポストに対して水平方向に移動し、前記上部係合孔の内周面上の一部位と、前記下部係合孔の内周面上の、前記上部係合孔の内周面上の一部位と対向する部位とで、前記バッテリーポストを挟圧することにより装着されることを特徴とする請求項１記載のバッテリーターミナル。
【請求項４】
前記ボルト部と前記ガイド部とが、互いに略平行であることを特徴とする請求項３記載のバッテリーターミナル。
【請求項５】
前記ガイド部はガイド溝によって構成され、前記ガイド係合部は、前記被せ部材の側部に形成され、前記ガイド溝と係合するガイド突起によって構成されたことを特徴とする請求項３記載のバッテリーターミナル。
【請求項６】
前記ケーブル金具部材には前記下部係合孔が形成され、
前記被せ部材には前記ボルト部が挿通される締付孔が、前記上部係合孔と並ぶように形成されており、
それぞれ前記下部係合孔および上部係合孔に前記バッテリーポストを挿入することにより、前記ケーブル金具部材および被せ部材を前記バッテリーポストに係止させ、前記ボルト部を前記締付孔に挿通して前記ナット部と螺合させるとともに、前記被せ部材を前記ボルト部を中心に一方向に回動させ、前記上部係合孔の内周面の一部位にて前記バッテリーポストを押圧するとともに、前記ケーブル金具部材を前記ボルト部を中心に前記被せ部材と反対方向に回動させて、前記下部係合孔の内周面のうち、前記上部係合孔の内周面の一部位と対向する部位にて、前記バッテリーポストを前記被せ部材と反対方向に押圧した状態で、前記ケーブル金具部材および被せ部材を互いに締結することにより、前記バッテリーポストに装着されることを特徴とする請求項１記載のバッテリーターミナル。
【請求項７】
前記締付孔に前記ボルト部を挿通した後、前記ボルト部およびナット部のうちのいずれかを前記被せ部材に締付けて、その締付時の前記ボルト部およびナット部のうちのいずれかと、前記被せ部材の前記締付孔の周囲との間の摩擦力により、前記被せ部材を前記ボルト部を中心に一方向に回動させることを特徴とする請求項６記載のバッテリーターミナル。
【請求項８】
前記被せ部材の前記締付孔の周囲は、前記ボルト部およびナット部のうちのいずれかとの間の摩擦力を増大させるために、その表面に複数の突部が形成されていることを特徴とする請求項７記載のバッテリーターミナル。
【発明の詳細な説明】
【技術分野】
【０００１】
本発明は、バッテリーのバッテリーポストに取り付けられるバッテリーターミナルに関する。
【背景技術】
【０００２】
従来からバッテリーの電極であるバッテリーポストに取り付けられるバッテリーターミナルとして、バッテリーポストに導電性の円弧部を嵌合させ、その円弧部の端部に連結した一対の締付片に締付ボルトを挿通させた後、ナットを螺合させ、締付ボルトをナットに対して締付けることにより、バッテリーポストに装着されるものがあった（例えば、特許文献１参照）。
【０００３】
上述した従来技術においては、バッテリーポストへ装着する場合、締付ボルトを水平方向に締付ける必要がある。近年の自動車のエンジンルーム内は、様々な部品が密集して取り付けられており、締付ボルトを水平方向に締付けることは、他部品との干渉の問題から困難をともなう。それに対して、エンジンルームの上方は、ボルトの締付作業を妨げるものが少なく、バッテリーターミナルをバッテリーポストに装着する作業性を向上させるために、ボルトを水平方向に代えて鉛直方向に締付けるほうがよい場合が多い。
【特許文献１】実開昭５５−１２４１７３号公報（第４図）
【発明の開示】
【発明が解決しようとする課題】
【０００４】
本発明は上記のような事情に基づいて完成されたものであって、バッテリーポストに装着する作業性を向上させるために、ネジ部材を鉛直方向に締付けることができるバッテリーターミナルを提供することを目的とする。
【課題を解決するための手段】
【０００５】
上記の目的を達成するための手段として、請求項１の発明は、ボルト部およびナット部のうちのいずれかが設けられるとともに、バッテリーポストに係合して、前記バッテリーポストとバッテリーケーブルとを連結するケーブル金具部材と、前記ケーブル金具部材に対する上方に配置されるように、前記バッテリーポストに被せられ、前記ボルト部が挿通された上で、それに前記ナット部を螺合させることにより、前記ケーブル金具部材に締結される被せ部材とを備え、前記被せ部材には前記バッテリーポストと係合する上部係合孔が形成されるとともに、前記被せ部材およびケーブル金具部材のうちのいずれかには、前記上部係合孔に対する下方において、前記バッテリーポストと係合する下部係合孔が形成され、前記被せ部材は前記ケーブル金具部材に対する位置を変化させることが可能であり、前記ケーブル金具部材および被せ部材を前記バッテリーポストに係止させ、前記ケーブル金具部材に対する前記被せ部材の位置を変化させた後、互いに上下方向に締結して、前記バッテリーポストの軸心に対して、前記上部係合孔と下部係合孔の中心を互いに反対方向にずらすことにより、前記バッテリーポストに装着されることを特徴とするバッテリーターミナルとした。
【０００６】
請求項２の発明は、前記被せ部材は、板部材が２つに折り曲げられて、互いに上下方向に対向して形成された上板部および下板部を有するとともに、前記板部材の両端部が互いに重ねられて固着され、その端部には前記ボルト部が挿通される締付孔が形成されており、前記上板部および下板部には、それぞれ互いに中心のずれた前記上部係合孔および下部係合孔が、前記締付孔と並ぶように形成され、前記ケーブル金具部材を前記バッテリーポストに係合させた後、前記被せ部材の下部係合孔の内周面のうち前記締付孔側に位置する部位を、前記締付孔と反対側に位置する部位に対して上方に配置されるように、前記バッテリーポストのテーパ状の外周面の途中に当接させて、前記被せ部材を前記バッテリーポストに対して斜めに係止させた後、前記締付孔に挿通した前記ボルト部を前記ナット部と螺合させて、互いに締結させることにより前記締付孔が下降し、前記被せ部材が水平になる方向に姿勢を変化させ、前記下部係合孔の内周面のうち前記締付孔側に位置する部位と、前記上部係合孔の内周面のうち前記締付孔と反対側に位置する部位とで、前記バッテリーポストを挟圧することにより装着されることを特徴とする請求項１記載のバッテリーターミナルとした。
【０００７】
請求項３の発明は、前記ケーブル金具部材には前記下部係合孔が形成されるとともに、斜め上方に延びたガイド部が設けられ、前記被せ部材には前記ボルト部が挿通される締付孔が、前記上部係合孔と並ぶように形成されるとともに、前記ガイド部と係合して、前記ガイド部の延びる方向に移動可能にするガイド係合部が形成されており、前記ケーブル金具部材の前記下部係合孔を前記バッテリーポストに係止させた後、前記被せ部材の上部係合孔の内周面上の一部位を、前記バッテリーポストの外周面の途中に当接させて、前記被せ部材を前記バッテリーポストに対して係止させた後、前記締付孔に挿通した前記ボルト部を前記ナット部と螺合させて互いに締結させることにより、前記被せ部材が前記ガイド部に沿って斜めに下降して、前記上部係合孔の内周面上の一部位が、前記バッテリーポストの外周面を押圧することにより、前記バッテリーポストから反力を受けて、前記被せ部材が前記ガイド部およびガイド係合部を介して、前記ケーブル金具部材と一体となって前記バッテリーポストに対して水平方向に移動し、前記上部係合孔の内周面上の一部位と、前記下部係合孔の内周面上の、前記上部係合孔の内周面上の一部位と対向する部位とで、前記バッテリーポストを挟圧することにより装着されることを特徴とする請求項１記載のバッテリーターミナルとした。
【０００８】
請求項４の発明は、前記ボルト部と前記ガイド部とが、互いに略平行であることを特徴とする請求項３記載のバッテリーターミナルとした。
【０００９】
請求項５の発明は、前記ガイド部はガイド溝によって構成され、前記ガイド係合部は、前記被せ部材の側部に形成され、前記ガイド溝と係合するガイド突起によって構成されたことを特徴とする請求項３記載のバッテリーターミナルとした。
【００１０】
請求項６の発明は、前記ケーブル金具部材には前記下部係合孔が形成され、前記被せ部材には前記ボルト部が挿通される締付孔が、前記上部係合孔と並ぶように形成されており、それぞれ前記下部係合孔および上部係合孔に前記バッテリーポストを挿入することにより、前記ケーブル金具部材および被せ部材を前記バッテリーポストに係止させ、前記ボルト部を前記締付孔に挿通して前記ナット部と螺合させるとともに、前記被せ部材を前記ボルト部を中心に一方向に回動させ、前記上部係合孔の内周面の一部位にて前記バッテリーポストを押圧するとともに、前記ケーブル金具部材を前記ボルト部を中心に前記被せ部材と反対方向に回動させて、前記下部係合孔の内周面のうち、前記上部係合孔の内周面の一部位と対向する部位にて、前記バッテリーポストを前記被せ部材と反対方向に押圧した状態で、前記ケーブル金具部材および被せ部材を互いに締結することにより、前記バッテリーポストに装着されることを特徴とする請求項１記載のバッテリーターミナルとした。
【００１１】
請求項７の発明は、前記締付孔に前記ボルト部を挿通した後、前記ボルト部およびナット部のうちのいずれかを前記被せ部材に締付けて、その締付時の前記ボルト部およびナット部のうちのいずれかと、前記被せ部材の前記締付孔の周囲との間の摩擦力により、前記被せ部材を前記ボルト部を中心に一方向に回動させることを特徴とする請求項６記載のバッテリーターミナルとした。
【００１２】
請求項８の発明は、前記被せ部材の前記締付孔の周囲は、前記ボルト部およびナット部のうちのいずれかとの間の摩擦力を増大させるために、その表面に複数の突部が形成されていることを特徴とする請求項７記載のバッテリーターミナルとした。
【発明の効果】
【００１３】
＜請求項１の発明＞
ケーブル金具部材および被せ部材をバッテリーポストに係止させ、ケーブル金具部材に対する被せ部材の位置を変化させた後、互いに上下方向に締結して、バッテリーポストの軸心に対して、上部係合孔と下部係合孔の中心を互いに反対方向にずらして、バッテリーポストに装着されるバッテリーターミナルとしたことにより、被せ部材をケーブル金具部材に対して鉛直方向に締付けることができ、バッテリーポストに装着する作業性を向上させることができる。
【００１４】
＜請求項２の発明＞
被せ部材をバッテリーポストに対して斜めに係止させた後、締付孔に挿通したボルト部をナット部と螺合させて、互いに締結させることにより締付孔が下降し、被せ部材が水平になる方向に姿勢を変化させ、下部係合孔の内周面のうち締付孔側に位置する部位と、上部係合孔の内周面のうち締付孔と反対側に位置する部位とで、バッテリーポストを挟圧して装着されるバッテリーターミナルとしたことにより、被せ部材のみでバッテリーポストを挟圧するため、被せ部材の寸法精度を向上させることで、精度よく確実に挟圧することができる。
【００１５】
＜請求項３の発明＞
ボルト部をナット部と螺合させて互いに締結させることにより、被せ部材がガイド部に沿って斜めに下降して、上部係合孔の内周面上の一部位が、バッテリーポストの外周面を押圧することにより、バッテリーポストから反力を受けて、被せ部材がガイド部およびガイド係合部を介して、ケーブル金具部材と一体となってバッテリーポストに対して水平方向に移動し、上部係合孔の内周面上の一部位と、下部係合孔の内周面上の、上部係合孔の内周面上の一部位と対向する部位とで、バッテリーポストを挟圧して装着されるバッテリーターミナルとしたことにより、ボルト部をナット部に締結させるだけで、双方で自動的にバッテリーポストを挟圧することができ、装着作業性のよいバッテリーターミナルとすることができる。
【００１６】
＜請求項４の発明＞
ボルト部とガイド部とが、互いに略平行であることにより、被せ部材の移動方向とボルト部あるいはナット部の締め付け方向とが一致するため、ボルト部あるいはナット部の締め付けにより、被せ部材がガイド部上を円滑に移動する。
【００１７】
＜請求項５の発明＞
ガイド係合部は、被せ部材の側部に形成され、ガイド溝と係合するガイド突起によって構成されたことにより、被せ部材とケーブル金具部材との間に発生する荷重を受けても、被せ部材が変形し難く強度的に強い。
【００１８】
＜請求項６の発明＞
被せ部材をボルト部を中心に一方向に回動させ、上部係合孔の内周面の一部位にてバッテリーポストを押圧するとともに、ケーブル金具部材をボルト部を中心に被せ部材と反対方向に回動させて、下部係合孔の内周面のうち、上部係合孔の内周面の一部位と対向する部位にて、バッテリーポストを被せ部材と反対方向に押圧した状態で、ケーブル金具部材および被せ部材を互いに締結するため、バッテリーポストに装着する時に、上部係合孔と下部係合孔とでバッテリーポストを挟圧する荷重を、自由に調整することができる。
【００１９】
＜請求項７の発明＞
ボルト部とナット部を締付ける時の、被せ部材の締付孔の周囲との間の摩擦力により、被せ部材をボルト部を中心に一方向に回動させるため、被せ部材を特別に回動させる手間を省くことができ、取り付け作業性のよいバッテリーターミナルとすることができる。
【００２０】
＜請求項８の発明＞
被せ部材の締付孔の周囲との間の摩擦力を増大させるために、締付孔の周囲の表面に複数の突部が形成されていることにより、ボルト部とナット部を締付けることで被せ部材をバッテリーポストに強大な荷重で押圧できる。
【発明を実施するための最良の形態】
【００２１】
＜第１実施形態＞
本発明の第１実施形態を図１乃至図８によって説明する。図１に示すように、本実施形態によるバッテリーターミナル１０は、バッテリーＢＴのバッテリーポストＢＰとバッテリーケーブルＢＣとを連結するケーブル金具部材１１、ケーブル金具部材１１の上方でバッテリーポストＢＰに被せられる被せ部材１２、および本発明のナット部に該当し、ケーブル金具部材１１上に立設されたウェルドボルト１１１に螺合するナット１３により構成されている。
【００２２】
ケーブル金具部材１１は導電性を備えた金属板材料を基体として形成され、図１および図２に示すように、下方からのバーリング加工により、その一端部には円筒状の環状部１１２が形成され、その内部にはバッテリーポストＢＰに嵌合して固定されるように、バッテリーポストＢＰの根元部の外径とほぼ同径の内周面を有し、バッテリーポストＢＰの外周面の形状に合わせてテーパ状に形成されたポスト装着孔１１３が設けられている。ケーブル金具部材１１のほぼ中央部には、上方から見ると矩形状をしているとともに、所定の高さを有した締付部１１４が設けられている。
【００２３】
図３に示すように、締付部１１４は、環状部１１２から一体に延びた基面１１４ａ上に、蓋材１１４ｂが被せられて構成されている。蓋材１１４ｂは、図３において、その左右方向の一側から、基面１１４ａから延びた板材を折り返して、基面１１４ａの上方に所定間隔を保持して被せられて設けられている。あるいは、別体の板部材にて形成された蓋材１１４ｂを、溶接、かしめ等により基面１１４ａに固定してもよい。
【００２４】
上述したウェルドボルト１１１（本発明のボルト部に該当する）の下端部には直方体状の固定部１１１ａが固着され、固定部１１１ａが溶接にて基面１１４ａの上面に固定されることにより、基面１１４ａ上にウェルドボルト１１１が上方に向けて取り付けられている。蓋材１１４ｂの中央部には、ウェルドボルト１１１が挿通される貫通孔１１４ｂ１が形成されるとともに、その周囲に薄肉部１１４ｂ２が設けられ、これによりウェルドボルト１１１の固定部１１１ａが上方から押圧されている。
【００２５】
更に、締付部１１４の上面には、上方に延びた一対のガイド竿１１５が、溶接等により立設されている。また、ケーブル金具部材１１の他端部には、バッテリーケーブルＢＣの芯線ＣＷにかしめられるケーブル接続部１１６が形成されている。ケーブル接続部１１６は対向する一対のかしめ片により構成されており、図３に示すように、その内周面には芯線ＣＷからの外れ防止のためのローレット１１６ａが形成されている。
【００２６】
図４および図５に示すように、被せ部材１２は、一体の金属材料にて形成された板部材を２つに折り曲げることにより、所定の間隔を有しながら、互いに上下方向に対向する上板部１２１および下板部１２２を形成している。上板部１２１および下板部１２２には、それぞれバーリング加工を施すことにより、バッテリーポストＢＰと係合する上部係合孔１２３および下部係合孔１２４が設けられている。上部係合孔１２３および下部係合孔１２４の内径は、バッテリーポストＢＰへの装着が完了した時の、それぞれの装着位置におけるバッテリーポストＢＰの外径よりも大きく設定されている。
【００２７】
上部係合孔１２３および下部係合孔１２４は、後述する締付孔１２６と並ぶように設けられ、その内周面がバッテリーポストＢＰの外周面の形状に合わせてテーパ状に形成されているとともに、それらの中心が被せ部材１２の長手方向に、互いにずれており、上部係合孔１２３の中心は下部係合孔１２４の中心に対して、締付孔１２６側に位置している。また、板部材の両端部１２５は、互いに重ねられて固着されるとともに、そこに締付孔１２６が貫通している。締付孔１２６は、後述するようにウェルドボルト１１１が挿通されるものであるが、ウェルドボルト１１１の外径よりも大きい内径を有している。尚、ナット１３は、その内孔にウェルドボルト１１１と螺合する雌ネジが形成された、通常のものである。
【００２８】
次に、図６乃至図８に基づいて、本実施形態によるバッテリーターミナル１０の、バッテリーポストＢＰへの取り付け方法について説明する。最初に、ケーブル取付部１１６をバッテリーケーブルＢＣの芯線ＣＷにかしめたケーブル金具部材１１を、バッテリーポストＢＰにその環状部１１２のポスト装着孔１１３を係合させて、バッテリーＢＴ上に載置する。
【００２９】
その後、被せ部材１２を、その下板部１２２の締付孔１２６と反対側に位置する下端部が、ケーブル金具部材１１に当接するとともに、下部係合孔１２４の内周面のうち、締付孔１２６側に位置する部位が、締付孔１２６と反対側に位置する部位に対して上方に配置されるように、バッテリーポストＢＰのテーパ状の外周面の途中に当接させて、バッテリーポストＢＰに対して斜めに係止させる。同時に、締付孔１２６にウェルドボルト１１１を挿通させた後、ウェルドボルト１１１にナット１３を螺合させる（図６示）。
【００３０】
この時、被せ部材１２の端部１２５と上板部１２１あるいは下板部１２２との間の部位は、その両側面がケーブル金具部材１１の締付部１１４上に立設されたガイド竿１１５に係止している。図６に示すように、この状態において、上部係合孔１２３および下部係合孔１２４の内周面のうち、少なくとも締付孔１２６と反対側に位置する部位は、バッテリーポストＢＰの外周面に当接していない。
【００３１】
ウェルドボルト１１１に螺合させたナット１３を、回動させて下方に締付けていくと、被せ部材１２の端部１２５が、ナット１３により下方に押動される。下板部１２２は、その下端においてケーブル金具部材１１に当接しており、それ以上に下方に移動することはできないため、端部１２５のみが下方に移動して、下部係合孔１２４の内周面のうち、締付孔１２６側に位置する部位がバッテリーポストＢＰの外周面に当接しながら、被せ部材１２が、図６において時計回りに姿勢を変化させて水平状態に近づいていく。この時、上部係合孔１２３の内周面のうち、締付孔１２６と反対側に位置する部位は、徐々にバッテリーポストＢＰの外周面に近づいていく（図７示）。
【００３２】
被せ部材１２の姿勢が変化していく時、ウェルドボルト１１１の外径に対して、被せ部材１２の締付孔１２６の内径が十分大きいため、ウェルドボルト１１１と締付孔１２６とが干渉することはない。また、被せ部材１２の両側面は、ケーブル金具部材１１のガイド竿１１５に係止しているため、ナット１３を回動させることで、ナット１３の回転力が摩擦力となって被せ部材１２の端部１２５に伝わり、被せ部材１２にウェルドボルト１１１を中心とした回転モーメントが発生しても、ガイド竿１１５により被せ部材１２の回転が防止される。
【００３３】
更に、ナット１３を回動させて下方に締付けていくと、被せ部材１２の端部１２５がますます下方に押動され、やがて、被せ部材１２は水平状態となり、ケーブル金具部材１１と被せ部材１２は、互いに上下方向に締結される。この状態で、上部係合孔１２３の内周面のうち、締付孔１２６と反対側に位置する部位、および下部係合孔１２４の内周面のうち、締付孔１２６側に位置する部位とにより、バッテリーポストＢＰの外周面を挟圧して、バッテリーポストＢＰの軸心に対して、上部係合孔１２３と下部係合孔１２４の中心を互いに反対方向にずらした状態で、バッテリーターミナル１０はバッテリーポストＢＰに装着される（図８示）。この時、ケーブル金具部材１１の環状部１１２と被せ部材１２の下端部とが当接するため、これ以上ケーブル金具部材１１と被せ部材１２とが、上下方向に互いに近づくことはできず、ウェルドボルト１１１とナット１３との間に所定の軸力が発生して固定されている。
【００３４】
本実施形態においては、ケーブル金具部材１１および被せ部材１２をバッテリーポストＢＰに係止させ、ケーブル金具部材１１に対する被せ部材１２の姿勢を変化させた後、互いに上下方向に締結して、バッテリーポストＢＰの軸心に対して、上部係合孔１２３と下部係合孔１２４の中心を互いに反対方向にずらして、バッテリーポストＢＰに装着されるバッテリーターミナル１０としたことにより、被せ部材１２をケーブル金具部材１１に対して鉛直方向に締付けることができ、バッテリーポストＢＰに装着する作業性を向上させることができる。
【００３５】
また、被せ部材１２をバッテリーポストＢＰに対して斜めに係止させた後、締付孔１２６に挿通したウェルドボルト１１１をナット１３と螺合させて、互いに締結させることにより締付孔１２６が下降し、被せ部材１２が水平になる方向に姿勢を変化させ、下部係合孔１２４の内周面のうち締付孔１２６側に位置する部位と、上部係合孔１２３の内周面のうち締付孔１２６と反対側に位置する部位とで、バッテリーポストＢＰを挟圧して装着されるバッテリーターミナル１０としたことにより、被せ部材１２のみでバッテリーポストＢＰを挟圧するため、被せ部材１２の上部係合孔１２３および下部係合孔１２４との間の寸法精度を向上させることで、精度よく確実に挟圧することができる。
【００３６】
＜第２実施形態＞
次に、本発明の第２実施形態を図９乃至図１４によって説明する。図９に示すように、本実施形態によるバッテリーターミナル２０は、バッテリーＢＴのバッテリーポストＢＰとバッテリーケーブルＢＣとを連結するケーブル金具部材２１、ケーブル金具部材２１の上方でバッテリーポストＢＰに被せられる被せ部材２２、および本発明のナット部に該当し、ケーブル金具部材２１上に立設されたウェルドボルト２１１に螺合するナット２３により構成されている。
【００３７】
ケーブル金具部材２１は導電性を備えた金属板材料を基体として形成され、図９および図１０に示すように、下方からのバーリング加工により、その一端部には第１実施形態のものと同様に、円筒状の環状部２１２が形成され、その内部には、バッテリーポストＢＰに係合するために、バッテリーポストＢＰの外径よりも、若干大きい内径を有する下部係合孔２１３が設けられている。下部係合孔２１３は、バッテリーポストＢＰの外周面の形状にあわせてテーパ状に形成されている。
【００３８】
ケーブル金具部材２１のほぼ中央部には、第１実施形態のものと同様に、所定の高さを有するとともに、ウェルドボルト２１１が上方に向けて取り付けられている締付部２１４が、環状部２１２に対して環状部２１２と離れた側が下がるように、所定角度だけ傾いて形成されている。更に、締付部２１４の上面からは、本発明のガイド部に該当する一対のガイド柱２１５が上方に延びている。ウェルドボルト２１１とガイド柱２１５は、互いにほぼ平行な関係で、斜め上方に延びている。図９に示すように、ウェルドボルト２１１とガイド柱２１５の鉛直方向に対する傾斜角度は、バッテリーポストＢＰの外周面のテーパ形状の傾斜角度よりも大きく設定されている。また、ケーブル金具部材２１の他端部には、バッテリーケーブルＢＣの芯線ＣＷにかしめられるケーブル接続部２１６が形成されている。
【００３９】
図１１および図１２に示すように、被せ部材２２は、一体の金属材料にて形成された板部材の一端部に、バーリング加工を施すことにより、円筒状の係合部２２１が形成され、係合部２２１の内周面には、バッテリーポストＢＰと係合する上部係合孔２２２が設けられている。上部係合孔２２２は後述する締付孔２２３と並ぶように設けられ、バッテリーポストＢＰの外径よりも、はるかに大きい内径を有するように形成されるとともに、テーパ状に形成されている。被せ部材２２の他端部には、上述したケーブル金具部材２１のウェルドボルト２１１が挿通される締付孔２２３が貫通している。
【００４０】
また、図１２に示すように、被せ部材２２の側面上において、上部係合孔２２２と締付孔２２３との間には、上述したケーブル金具部材２１のガイド柱２１５と係合して、その延びる方向に移動可能にするためのものであって、本発明のガイド係合部に該当する一対のガイド凹部２２４が形成されている。尚、ナット２３は本発明のナット部に該当し、第１実施形態のものと同様に、その内孔にウェルドボルト２１１と螺合する雌ネジが形成された、通常のものである。
【００４１】
次に、図１３および図１４に基づいて、本実施形態によるバッテリーターミナル２０の、バッテリーポストＢＰへの取り付け方法について説明する。ケーブル取付部２１６をバッテリーケーブルＢＣの芯線ＣＷにかしめたケーブル金具部材２１を、バッテリーＢＴ上に載置して、そのバッテリーポストＢＰをケーブル金具部材２１の環状部２１２に形成された下部係合孔２１３に挿通させる。上述したように、ケーブル金具部材２１の下部係合孔２１３の内径は、バッテリーポストＢＰの外径よりも若干大きいため、この状態でケーブル金具部材２１は、バッテリーポストＢＰに対して、水平方向に相対移動可能とされている。
【００４２】
その後、被せ部材２２を、その締付孔２２３にウェルドボルト２１１を挿通させた後、ガイド凹部２２４をケーブル金具部材２１のガイド柱２１５に係合させながら斜めに下降させて、上部係合孔２２２の内周面のうち、締付孔２２３側に位置する部位をバッテリーポストＢＰの外周面に当接させた状態で静止させる。従って、被せ部材２２は締付孔２２３側が上部係合孔２２２に対して低くなるように傾いた状態で、バッテリーポストＢＰに係止する（図１３示）。図に示すように、この状態においては、上部係合孔２２２の内周面のうち、締付孔２２３と反対側に位置する部位は、バッテリーポストＢＰの外周面に当接していない。
【００４３】
その後、ウェルドボルト２１１にナット２３を螺合させた後、回動させて下方に締付けていくと、被せ部材２２の締付孔２２３が形成された端部がナット２３により押圧され、ケーブル金具部材２１のガイド柱２１５に沿って、斜め下方に押動される。被せ部材２２の上部係合孔２２２の内周面のうち、締付孔２２３側に位置する部位は、その下端においてバッテリーポストＢＰの外周面に当接しており、被せ部材２２は斜め方向に下降することにより、バッテリーポストＢＰの外周面を押圧し、それにより、バッテリーポストＢＰから締付孔２２３側への水平方向の反力を受ける。
【００４４】
被せ部材２２とケーブル金具部材２１とは、ガイド柱２１５とガイド凹部２２４との係合により互いに連結されているため、バッテリーポストＢＰから受ける反力により、被せ部材２２とケーブル金具部材２１は、一体となってバッテリーＢＴに対して図１３において右方に移動を開始する。
【００４５】
更に、ナット２３を下方に締付けていくと、被せ部材２２とケーブル金具部材２１の移動が進行して、ケーブル金具部材２１の下部係合孔２１３の内周面のうち、締付孔２２３と反対側に位置する部位がバッテリーポストＢＰの外周面に当接し、それ以上の移動は行われない。この状態で、ケーブル金具部材２１と被せ部材２２は、互いに上下方向に締結され、上部係合孔２２２と下部係合孔２１３の中心は、バッテリーポストＢＰの軸心に対して反対方向にずれている。従って、上部係合孔２２２の内周面のうち、締付孔２２３側に位置する部位と、下部係合孔２１３の内周面のうち、締付孔２２３と反対側に位置する部位とによりバッテリーポストＢＰの外周面を挟圧して、バッテリーターミナル２０はバッテリーポストＢＰに装着される（図１４示）。この時、上述したように、ガイド柱２１５の鉛直方向に対する傾斜角度が、バッテリーポストＢＰの外周面のテーパ形状の傾斜角度よりも大きく設定されていることにより、ケーブル金具部材２１と被せ部材２２は、互いに上下方向に、これ以上近づくことはできず、ウェルドボルト２１１とナット２３との間に所定の軸力が発生して固定されている。また、ケーブル金具部材２１の締付部２１４の上面と被せ部材２２とを当接させて、双方を上下方向に固定するようにしてもよい。
【００４６】
本実施形態においては、ウェルドボルト２１１をナット２３と螺合させて互いに締結させることにより、被せ部材２２がガイド柱２１５に沿って斜めに下降して、上部係合孔２２２の内周面上の一部位が、バッテリーポストＢＰの外周面を押圧することにより、バッテリーポストＢＰから反力を受けて、被せ部材２２がケーブル金具部材２１と一体となって、バッテリーポストＢＰの外周面の押圧方向と反対方向に移動し、上部係合孔２２２の内周面のうち、締付孔２２３側に位置する部位と、下部係合孔２１３の内周面のうち、締付孔２２３と反対側に位置する部位とで、バッテリーポストＢＰを挟圧して装着されるバッテリーターミナル２０としたことにより、ナット２３をウェルドボルト２１１に締結させるだけで、双方で自動的にバッテリーポストＢＰを挟圧することができ、取り付け作業性のよいバッテリーターミナル２０とすることができる。
【００４７】
また、ウェルドボルト２１１とガイド柱２１５とが、互いに略平行であることにより、被せ部材２２の移動方向とナット２３の締め付け方向とが一致するため、ナット２３の締め付けにより、被せ部材２２がガイド柱２１５上を円滑に移動する。
【００４８】
＜第３実施形態＞
図１５乃至図２１は本発明の第３実施形態を示す。本実施形態は第２実施形態の変形例にあたるものである。図１５に示すように、本実施形態によるバッテリーターミナル３０は、第２実施形態と同様に、バッテリーＢＴのバッテリーポストＢＰとバッテリーケーブルＢＣとを連結するケーブル金具部材３１、ケーブル金具部材３１の上方でバッテリーポストＢＰに被せられる被せ部材３２、および本発明のナット部に該当し、ケーブル金具部材３１上に立設されたウェルドボルト３１１に螺合するナット３３により構成されている。
【００４９】
ケーブル金具部材３１は導電性を備えた金属板材料を基体として形成され、図１５および図１６に示すように、その一端部には環状部３１２が、下方からのバーリング加工により円筒状に形成され、その内部には、バッテリーポストＢＰに係合するために、バッテリーポストＢＰの外径よりも、若干大きい内径を有する下部係合孔３１３が設けられている。下部係合孔３１３は、バッテリーポストＢＰの外周面の形状に合わせてテーパ状に形成されている。
【００５０】
ケーブル金具部材３１のほぼ中央部には、所定の高さを有するとともに、ウェルドボルト３１１が上方に向けて取り付けられている締付部３１４が形成されている。図１７に示すように、締付部３１４は、環状部３１２から一体に延びた基面３１４ａ上に、蓋材３１４ｂが被せられて構成されている。蓋材３１４ｂは、図１７において、その左右方向の一側から、基面３１４ａから延びた板材を折り返して、基面３１４ａの上方に所定間隔を保持して被せられて設けられている。あるいは、別体の板部材にて形成された蓋材３１４ｂを、溶接、かしめ等により基面３１４ａに固定してもよい。
【００５１】
上述したウェルドボルト３１１の下端部には直方体状の固定部３１１ａが固着され、固定部３１１ａが溶接にて基面３１４ａの上面に固定されることにより、基面３１４ａ上にウェルドボルト３１１が上方に向けて取り付けられている。蓋材３１４ｂの中央部には、ウェルドボルト３１１が挿通される貫通孔３１４ｂ１が形成されるとともに、その周囲に薄肉部３１４ｂ２が設けられ、これによりウェルドボルト３１１の固定部３１１ａが上方から押圧されている。
【００５２】
更に、図１７において、基面３１４ａの左右の両端部からは、本発明のガイド部に該当する一対のガイドレール３１５が上方に延びている。ガイドレール３１５は、基面３１４ａからプレス加工にて斜め上方へ絞られることによって形成され、図１６に示すように、その断面が略山型形状を呈している。従って、一対のガイドレール３１５の互いに対向する面には、その断面が三角形状のガイド溝３１５ａが形成されている。図１５に示すように、ガイドレール３１５の鉛直方向に対する傾斜角度は、バッテリーポストＢＰの外周面のテーパ形状の傾斜角度よりも大きく設定されている。ケーブル金具部材３１の他端部には、バッテリーケーブルＢＣの芯線ＣＷにかしめられるケーブル接続部３１６が形成されている。ケーブル接続部３１６は対向する一対のかしめ片により構成され、その内周面には、芯線ＣＷが外れないようにローレット３１６ａが形成されている。
【００５３】
図１８および図１９に示すように、被せ部材３２は、一体の金属材料にて形成された板部材の一端部に、下方よりバーリング加工を施すことにより、円筒状の係合部３２１が形成され、係合部３２１の内部には、バッテリーポストＢＰと係合する上部係合孔３２２が、後述する締付孔３２３と並ぶように設けられている。上部係合孔３２２は、バッテリーポストＢＰの外径よりも、はるかに大きい内径を有するように形成されるとともに、テーパ状に形成されている。被せ部材３２の他端部には、上述したケーブル金具部材３１のウェルドボルト３１１が挿通される長穴で形成された締付孔３２３が貫通している。
【００５４】
また、被せ部材３２の側面上において、上部係合孔３２２と締付孔３２３との間には、上述したケーブル金具部材３１のガイド溝３１５ａと係合して、その延びる方向に移動可能にするためのものであって、本発明のガイド係合部に該当する一対のガイド突起３２４が形成されている。図１９に示すように、ガイド突起３２４は、ガイド溝３１５ａの断面形状に対応して、略三角形状に突出して形成されている。尚、ナット３３は本発明のナット部に該当し、第１実施形態のものと同様に、その内孔にウェルドボルト３１１と螺合する雌ネジが形成された、通常のものである。
【００５５】
次に、図２０および図２１に基づいて、本実施形態によるバッテリーターミナル３０の、バッテリーポストＢＰへの取り付け方法について説明する。ケーブル取付部３１６をバッテリーケーブルＢＣの芯線ＣＷにかしめたケーブル金具部材３１を、バッテリーＢＴ上に載置して、そのバッテリーポストＢＰをケーブル金具部材３１の環状部３１２に形成された下部係合孔３１３に挿通させる。上述したように、ケーブル金具部材３１の下部係合孔３１３の内径は、バッテリーポストＢＰの外径よりも若干大きいため、この状態でケーブル金具部材３１は、バッテリーポストＢＰに対して、水平方向に相対移動可能とされている。
【００５６】
その後、被せ部材３２を、その締付孔３２３にウェルドボルト３１１を挿通させた後、ケーブル金具部材３１のガイド溝３１５ａに、ガイド突起３２４を係合させながら斜めに下降させて、上部係合孔３２２の内周面のうち、締付孔３２３側に位置する部位をバッテリーポストＢＰの外周面に当接させた状態で静止させる。従って、被せ部材３２は締付孔３２３側が上部係合孔３２２に対して低くなるように傾いた状態で、バッテリーポストＢＰに係止する（図２０示）。図２０に示すように、この状態においては、上部係合孔３２２の内周面のうち、締付孔３２３と反対側に位置する部位は、バッテリーポストＢＰの外周面に当接していない。
【００５７】
その後、ウェルドボルト３１１にナット３３を螺合させた後、回動させて下方に締付けていくと、被せ部材３２の締付孔３２３が形成された端部が、ナット３３に斜めに当接したまま押圧され、ケーブル金具部材３１のガイド溝３１５ａに沿って、斜め下方に押動される。被せ部材３２の上部係合孔３２２の内周面のうち、締付孔３２３側に位置する部位は、その下端においてバッテリーポストＢＰの外周面に当接しており、被せ部材３２は斜め方向に下降することにより、バッテリーポストＢＰの外周面を押圧し、それにより、バッテリーポストＢＰから締付孔３２３側への水平方向の反力を受ける。被せ部材３２とケーブル金具部材３１とは、ガイド溝３１５ａとガイド突起３２４との係合により互いに連結されているため、バッテリーポストＢＰから受ける反力により、被せ部材３２とケーブル金具部材３１は、一体となってバッテリーＢＴに対して図２０において右方に移動を開始する。
【００５８】
更に、ナット３３を下方に締付けていくと、被せ部材３２とケーブル金具部材３１の移動が進行して、ケーブル金具部材３１の下部係合孔３１３の内周面のうち、締付孔３２３と反対側に位置する部位がバッテリーポストＢＰの外周面に当接し、それ以上の移動は行われない。この状態で、ケーブル金具部材３１と被せ部材３２は、互いに上下方向に締結され、上部係合孔３２２と下部係合孔３１３の中心は、バッテリーポストＢＰの軸心に対して反対方向にずれている。従って、上部係合孔３２２の内周面のうち、締付孔３２３側に位置する部位と、下部係合孔３１３の内周面のうち、締付孔３２３と反対側に位置する部位とによりバッテリーポストＢＰの外周面を挟圧して、バッテリーターミナル３０はバッテリーポストＢＰに装着される（図２１示）。この時、上述したように、ガイドレール３１５の鉛直方向に対する傾斜角度が、バッテリーポストＢＰの外周面のテーパ形状の傾斜角度よりも大きく設定されていることにより、ケーブル金具部材３１と被せ部材３２は、互いに上下方向に、これ以上近づくことはできず、ウェルドボルト３１１とナット３３との間に所定の軸力が発生して固定されている。
【００５９】
本実施形態においては、被せ部材３２のケーブル金具部材３１との係合とが、ガイド溝３１５ａと係合するガイド突起３２４によって構成されたことにより、ケーブル金具部材３１と被せ部材３２との間に発生する荷重を受けても、被せ部材３２は変形し難く強度的に強い。
【００６０】
＜第４実施形態＞
次に、本発明の第４実施形態を図２２乃至図２７によって説明する。図２２に示すように、本実施形態によるバッテリーターミナル４０は、バッテリーＢＴのバッテリーポストＢＰとバッテリーケーブルＢＣとを連結するケーブル金具部材４１、ケーブル金具部材４１の上方でバッテリーポストＢＰに被せられる被せ部材４２、および本発明のナット部に該当し、ケーブル金具部材４１上に立設されたウェルドボルト４１１に螺合するナット４３により構成されている。
【００６１】
ケーブル金具部材４１は導電性を備えた金属板材料を基体として形成され、図２２に示すように、下方からのバーリング加工により、その一端部には円筒状の環状部４１２が形成され、その内部にはバッテリーポストＢＰを挿通させるように、バッテリーポストＢＰの根元部の外径より若干大きい内径を有し、バッテリーポストＢＰの外周面の形状に合わせてテーパ状に形成された下部係合孔４１３が設けられている。ケーブル金具部材４１のほぼ中央部には、第１実施形態のものと同様に、所定の高さを有するとともに、ウェルドボルト４１１が上方に向けて取り付けられている締付部４１４が形成されている。また、ケーブル金具部材４１の他端部には、対向する一対のかしめ片により構成され、バッテリーケーブルＢＣの芯線ＣＷにかしめられるケーブル接続部４１５が形成されている。
【００６２】
図２３および図２４に示すように、被せ部材４２は、一体の金属材料にて形成された板部材の一端部に、下方よりバーリング加工を施すことにより、円筒状の係合部４２１が形成され、その内部にはバッテリーポストＢＰを挿通させるために、下部係合孔４１３と同等の内径を有する上部係合孔４２２が設けられている。上部係合孔４２２は後述する締付孔４２３と並ぶように設けられ、その内周面がバッテリーポストＢＰの外周面の形状に合わせてテーパ状に形成されている。被せ部材４２の他端部には、上述したケーブル金具部材４１のウェルドボルト４１１が挿通される締付孔４２３が貫通している。
【００６３】
また、被せ部材４２の上面における締付孔４２３の周囲には、図２４に示すように、複数の小さい円柱状の突部４２４が形成されている。突部４２４により、ナット４３と締付孔４２３の周囲とが当接した時の双方の間の摩擦係数を大きくして、その間に発生する摩擦力を増大させている。尚、ナット４３は本発明のナット部に該当し、第１実施形態のものと同様に、その内孔にウェルドボルト４１１と螺合する雌ネジが形成された、通常のものである。
【００６４】
次に、図２５乃至図２７に基づいて、本実施形態によるバッテリーターミナル４０の、バッテリーポストＢＰへの取り付け方法について説明する。ケーブル取付部４１５をバッテリーケーブルＢＣの芯線ＣＷにかしめたケーブル金具部材４１を、バッテリーＢＴ上に載置して、そのバッテリーポストＢＰをケーブル金具部材４１の環状部４１２に形成された下部係合孔４１３に挿通させる。上述したように、ケーブル金具部材４１の下部係合孔４１３の内径は、バッテリーポストＢＰの外径よりも若干大きいため、この状態でケーブル金具部材４１の下部係合孔４１３は、バッテリーポストＢＰに対して、水平方向に移動可能とされている。
【００６５】
その後、被せ部材４２を、その締付孔４２３にウェルドボルト４１１を挿通させた後、バッテリーポストＢＰを上部係合孔４２２に挿通させる。被せ部材４２の上部係合孔４２２の内径は、バッテリーポストＢＰの外径よりも若干大きいため、この状態で被せ部材４２の上部係合孔４２２は、下部係合孔４１３と同様に、バッテリーポストＢＰに対して水平方向に移動可能とされている。この状態で、被せ部材４２はケーブル金具部材４１の締付部４１４の上面に当接している。
【００６６】
その後、ケーブル金具部材４１をウェルドボルト４１１を中心に、作業者の手あるいは治具を使用して図２５において反時計回りに回動させて、下部係合孔４１３の内周面のうち、図２５において上方に位置する部位をバッテリーポストＢＰの外周面に当接させる（図２６示）。このように、ケーブル金具部材４１をバッテリーポストＢＰの外周面に押圧させたまま、ウェルドボルト４１１にナット４３を螺合させ、時計回りに回動させて下方に締付けていくと、ナット４３の被せ部材４２に対する押圧力によって、ナット４３と被せ部材４２との間に摩擦力が発生し、被せ部材４２がウェルドボルト４１１を中心に時計回りに回動させられ、被せ部材４２の上部係合孔４２２の内周面のうち、図２６において下方に位置する部位がバッテリーポストＢＰの外周面に当接する。
【００６７】
上述したように、被せ部材４２の締付孔４２３の周囲には、複数の突部４２４が立設されているため、ナット４３と被せ部材４２との間の摩擦係数が大きくなり、ナット４３と被せ部材４２との間に発生する摩擦力が増大して、ナット４３の回転力が、被せ部材４２への強大な回転トルクとなって伝わり、上部係合孔４２２がバッテリーポストＢＰを押圧する荷重を増大させることができる。
【００６８】
更に、ナット４３をウェルドボルト４１１に締付けていくと、ウェルドボルト４１１に所定の軸力が発生して、ナット４３がウェルドボルト４１１に固定される。この状態で、ケーブル金具部材４１と被せ部材４２は、互いに上下方向に締結され、上部係合孔４２２と下部係合孔４１３の中心は、バッテリーポストＢＰの軸心に対して反対方向にずれている。従って、ケーブル金具部材４１の下部係合孔４１３と、被せ部材４２の上部係合孔４２２の、それぞれの内周面のうち互いに対向する部位により、バッテリーポストＢＰを反対方向に押圧した状態となって、バッテリーターミナル４０がバッテリーポストＢＰに装着される。
【００６９】
本実施形態においては、被せ部材４２をウェルドボルト４１１を中心に時計回りに回動させ、上部係合孔４２２の内周面の一部位にてバッテリーポストＢＰを押圧するとともに、ケーブル金具部材４１をウェルドボルト４１１を中心に被せ部材４２と反対方向に回動させて、下部係合孔４１３の内周面のうち、上部係合孔４２２の内周面の一部位と対向する部位にて、バッテリーポストＢＰを被せ部材４２と反対方向に押圧した状態で、ケーブル金具部材４１および被せ部材４２を互いに締結するため、バッテリーターミナル４０をバッテリーポストＢＰに装着する時に、バッテリーポストＢＰを挟圧する荷重を、自由に調整することができる。
【００７０】
また、ウェルドボルト４１１とナット４３を締付ける時の、被せ部材４２の締付孔４２３の周囲との間の摩擦力により、被せ部材４２をウェルドボルト４１１を中心に時計回りに回動させるため、被せ部材４２を特別に回動させる手間を省くことができ、取り付け作業性のよいバッテリーターミナル４０とすることができる。更に、ナット４３と被せ部材４２の締付孔４２３の周囲との間の摩擦力を増大させるために、締付孔４２３の周囲に複数の突部４２４を形成し、締付孔４２３の周囲の表面が粗くなるようにしていることにより、ウェルドボルト４１１とナット４３を締付けることで被せ部材４２をバッテリーポストＢＰに強大な荷重で押圧できる。
【００７１】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）ナット部をケーブル金具部材の上面に設け、被せ部材の締付孔に上方からボルト部を挿通させて、ナット部に螺合させて締め付けるようにしてもよい。
（２）ケーブル接続部は、バッテリーケーブルの芯線にかしめられたケーブル端子に、ケーブルボルトを挿通させてナットで締付けて接続する構成にしてもよい。
（３）第４実施形態において、被せ部材の締付孔の周囲の表面を粗くするためには、締付孔の周囲に複数の突部を形成する以外に、ローレットを形成する等のあらゆる方法が適用可能である。
（４）第４実施形態において、被せ部材に締め付けるボルト部あるいはナット部側に突部を形成して、被せ部材との間の摩擦係数を増大させてもよい。
（５）本発明によるバッテリーターミナルは、車両用バッテリー、家庭用バッテリーあるいは産業用バッテリー等の、あらゆる用途のバッテリーに装着可能である。
【図面の簡単な説明】
【００７２】
【図１】第１実施形態によるバッテリーターミナルのバッテリーポストへの装着状態を示す分解図である。
【図２】図１に示したケーブル金具部材の平面図である。
【図３】図２の右側面図である。
【図４】図１に示した被せ部材の断面図である。
【図５】図４の平面図である。
【図６】図１に示したバッテリーターミナルをバッテリーポストに載置したところを示す正面図である。
【図７】図６に示したバッテリーターミナルにナットを締め付けつつあるところを示す正面図である。
【図８】図６に示したバッテリーターミナルをバッテリーポストに装着完了したところを示す正面図である。
【図９】第２実施形態によるバッテリーターミナルのバッテリーポストへの装着状態を示す分解図である。
【図１０】図９に示したケーブル金具部材の平面図である。
【図１１】図９に示した被せ部材の断面図である。
【図１２】図１１の平面図である。
【図１３】図９に示したバッテリーターミナルをバッテリーポストに載置したところを示す正面図である。
【図１４】図１３に示したバッテリーターミナルをバッテリーポストに装着完了したところを示す正面図である。
【図１５】第３実施形態によるバッテリーターミナルのバッテリーポストへの装着状態を示す分解図である。
【図１６】図１５に示したケーブル金具部材の平面図である。
【図１７】図１６の右側面図である。
【図１８】図１５に示した被せ部材の断面図である。
【図１９】図１８の平面図である。
【図２０】図１５に示したバッテリーターミナルをバッテリーポストに載置したところを示す正面図である。
【図２１】図２０に示したバッテリーターミナルをバッテリーポストに装着完了したところを示す正面図である。
【図２２】第４実施形態によるバッテリーターミナルのバッテリーポストへの装着状態を示す分解図である。
【図２３】図２２に示した被せ部材の断面図である
【図２４】図２３の平面図である。
【図２５】図２２に示したバッテリーターミナルをバッテリーポストに載置したところを示す平面図である。
【図２６】図２５に示したバッテリーターミナルをバッテリーポストに装着完了したところを示す平面図である。
【図２７】図２６の正面図である。
【符号の説明】
【００７３】
１０、２０、３０、４０…バッテリーターミナル
１１、２１、３１、４１…ケーブル金具部材
１２、２２、３２、４２…被せ部材
１３、２３、３３、４３…ナット
１１１、２１１、３１１、４１１…ウェルドボルト
１２１…上板部
１２２…下板部
１２３、２２２、３２２、４２２…上部係合孔
１２４、２１３、３１３、４１３…下部係合孔
１２５…端部
１２６、２２３、３２３、４２３…締付孔
２１５…ガイド柱
２２４…ガイド凹部
３１５ａ…ガイド溝
３２４…ガイド突起
４２４…突部
ＢＣ…バッテリーケーブル
ＢＰ…バッテリーポスト
【図１】
2005183284.tif 000003
【図２】
2005183284.tif 000004
【図３】
2005183284.tif 000005
【図４】
2005183284.tif 000006
【図５】
2005183284.tif 000007
【図６】
2005183284.tif 000008
【図７】
2005183284.tif 000009
【図８】
2005183284.tif 000010
【図９】
2005183284.tif 000011
【図１０】
2005183284.tif 000012
【図１１】
2005183284.tif 000013
【図１２】
2005183284.tif 000014
【図１３】
2005183284.tif 000015
【図１４】
2005183284.tif 000016
【図１５】
2005183284.tif 000017
【図１６】
2005183284.tif 000018
【図１７】
2005183284.tif 000019
【図１８】
2005183284.tif 000020
【図１９】
2005183284.tif 000021
【図２０】
2005183284.tif 000022
【図２１】
2005183284.tif 000023
【図２２】
2005183284.tif 000024
【図２３】
2005183284.tif 000025
【図２４】
2005183284.tif 000026
【図２５】
2005183284.tif 000027
【図２６】
2005183284.tif 000028
【図２７】
2005183284.tif 000029